(57)【特許請求の範囲】
【請求項１】
撮影レンズから入射した被写体像をファインダーに導くための反射部材と、被写体像を正立像に形成し接眼レンズに導く正立像形成用光学部材との光路内にスーパーインポーズ表示するための透過型光学部材を有しており、当該透過型光学部材が透過率特性に伴う色特性がファインダーの色を左右するカメラにおいて、
ファインダー機構を構成している光学部材の少なくとも一つ以上の光学部材に多層コーティングを施すことによって、該透過型光学部材が有している透過率特性に伴う色特性を補正またはほぼ補正する手段を有していることを特徴とするカメラ。
【請求項２】
該補正手段を有する光学部材は熱可塑性樹脂でモールドで形成された正立像形成部とガラスで形成された最終反射面とで形成された正立像形成用光学部材であり、その最終反射面に該補正手段を有することを特徴とする請求項１記載のカメラ。
【請求項３】
該補正手段は該正立像形成用光学部材の最終反射面に施した多層コーティングであることを特徴とする請求項１及び２記載のカメラ。
【請求項４】
前記透過型液晶はゲスト・ホスト型液晶であることを特徴とする請求項１記載のカメラ。
【請求項５】
前記透過型液晶の透過率特性は可視領域における透過率の波長依存性を有し、前記補正手段により波長毎の透過率の違いを軽減することを特徴とする請求項１ないし４記載のカメラ。
【発明の詳細な説明】
【０００１】
【発明の属する技術分野】
本発明は、カメラ、特にそのファインダー部の改良に関するものである。
【０００２】
【従来の技術】
最近、ファインダーの光路内に透過型液晶、例えば透過率が高く、分子の長軸方向と短軸方向で可視光の吸収に異方性を持つ二色性染料（ゲスト）を溶媒である液晶（ホスト）中に溶かし、通電して液晶分子の配光を制御することにより染料分子の配光方向を同時に変化させ、二色性による光吸収係数の変化を用いて表示するゲスト・ホスト型液晶を内蔵し、パノラマ等のアスペクト範囲やＡＦ合焦マーク等をファインダー視野内にスーパーインポーズ表示するカメラが多く商品化されて知られている。
【０００３】
【発明が解決しようとする課題】
しかしながら、前述引用例では透過型液晶をファインダー光路内に配置しているため、以下のような欠点があった。
透過型液晶内に有している二色性染料の透過率特性に伴う色特性がファインダーの色を左右し、裸眼で見た色と著しく異なる色付きの多い違和感を感じるファインダーとなっていた。
【０００４】
さらに、色付きをなくすには透過率特性を補正するための新たな処理の追加、あるいは新たに光学部材の追加が必要となる。
また、部分的に補正することが困難であり、補正することでファインダーの明るさを大幅に低下させてしまう。
【０００５】
本発明は、前述従来例の欠点を除去し、透過型液晶の透過率を新たな光学部材を追加せず、かつ明るさの低下を防いだ色付きのない高品位なファインダーを有したカメラを提供することを目的とする。
【０００６】
【課題を解決するための手段】
前述の目的を達成するために、本発明はファインダーを構成している光学部材である正立像形成用光学部材の一部に透過型液晶の透過率を補正する手段を有するものである。
【０００７】
【発明の実施の態様】
請求項１に示す本発明は撮影レンズから入射した被写体像をファインダーに導くための反射部材と、被写体像を正立像に形成し接眼レンズに導く正立像形成用光学部材との光路内にスーパーインポーズ表示するための透過型光学部材を有しており、当該透過型光学部材が透過率特性に伴う色特性がファインダーの色を左右するカメラにおいて、ファインダー機構を構成している光学部材の少なくとも一つ以上の光学部材に多層コーティングを施すことによって、該透過型光学部材が有している透過率特性に伴う色特性を補正またはほぼ補正する手段を有していることにより、透過型光学部材が透過率特性に伴うがファインダーの色を左右する色特性を補正するので、色付きのない高品位のファインダーにすることができる。請求項２に示す本発明は該補正手段を有する光学部材が熱可塑性樹脂でモールドで形成された正立像形成部とガラスで形成された最終反射面とで形成された正立像形成用光学部材であって、その最終反射面に該補正手段を有することにより、新たな補正用光学部材を用いる必要がなくなり、正立像形成用光学部材を軽量化できる。
【０００８】
請求項３に示す本発明は該補正手段が該正立像形成用光学部材の最終反射面に施した多層コーティングであることにより、反射率が向上し、部分的な特性変更が可能となる。
請求項４に示す本発明は前記透過型液晶がゲスト・ホスト型液晶であることにより、ファインダー視野内での撮影設定状態のスーパーインポーズ表示が容易にできる。
請求項５に示す本発明は前記透過型液晶の透過率特性が可視領域における透過率の波長依存性を有し、前記補正手段により波長毎の透過率の違いを軽減することにより、あらゆる特性への対応が可能となる。
【０００９】
【実施例】
本発明の一実施例を図１ないし図４に基づいて説明する。
図１は本実施例のカメラの要部を示す構成図である。
同図において、１は実際に記録媒体としてのフイルムＦを露光する時を除いて不図示の撮影レンズからの被写体（反射）光をファインダー系に導くハーフミラー、２は該ハーフミラー１で反射された被写体光を結像するためのスクリーン、３はＡＦ合焦マークや不図示のアスペクト比切換スイッチの操作に連動してアスペクト範囲表示をファインダー視野内にスーパーインポーズ表示する透過型液晶としてのゲスト・ホスト型液晶、４は該スクリーン２上の被写体像を正立像にするための正立像形成用光学部材で、モールドで形成されかつ反射コーティングが施されたルーフミラー４ａと、該ルーフミラー４ａで正立像にされた被写体像を後記する接眼レンズ５の光軸と一致させて導くための最終反射面としてのガラス板に反射コーティングを施したｅ面ミラー４ｂとから形成されている。
【００１０】
５は被写体像をアイポイント（眼）に結像するモールドで形成された接眼レンズである。６はファインダー系へ反射されずに前記ハーフミラー１を通過した光束を後述のＡＦ（オートフォーカス）装置７へ導くためのサブミラー、７は被写体像のデフォーカス量に応じて不図示の撮影レンズを合焦させるためのＡＦ装置である。
【００１１】
図２は以上の構成のカメラに具備されたゲスト・ホスト型液晶３の光の透過率特性図を示し、図３は同じく正立像形成用光学部材の最終反射面であるｅ面ミラー４ｂの光の反射率特性図を示している。また、図４はファインダー系総合の光の透過率特性図であって、撮影者が前記接眼レンズ５を介してファインダーを覗いた時の光の透過率と一致する。
以上の図において、それぞれ横軸は光の波長で一般的に可視光といわれている４００ｎｍから７００ｎｍまで表わしており、縦軸は透過率あるいは反射率をパーセントで表わしている。
【００１２】  以上の構成の本実施例において、不図示の撮影レンズから入射した撮影光束はハーフミラー１で反射して被写体光を結像するスクリーン２及びアスペクト表示やＡＦ合焦マークを表示するゲスト・ホスト型液晶３を透過し、正立像形成用光学部材４内に入射し、ファインダー像を形成する。ところが、図２に示すようにゲスト・ホスト型液晶３の光の透過率が一般的に人間の目の視感度が最も高いといわれている波長５５０ｎｍに対し、４００ｎｍ〜５００ｎｍの短波長（青色）側が高いため、かなり青色の強い光束となっており、このまま補正を行わない場合は青色の色付きが大きい高級感に欠けるファインダーとなってしまうが、ルーフミラー４ａで反射された被写体光を図３に示すように視感度の高い５５０ｎｍでは９８％と全体的に反射率が高く、４００ｎｍ〜５００ｎｍの波長での反射率を５００ｎｍ〜７００ｎｍの波長より下げるように多層コーティング（単層コーティングでは部分的に反射率を下げたり、上げたりすることができないため）を施したガラス板材料で形成されたｅ面ミラー４ｂで被写体光の波長を補正するようにしたので、ｅ面ミラー５を反射した被写体光は接眼レンズ５を透過し、図４に示すような４００ｎｍ〜７００ｎｍまでほぼフラットな透過率となり、撮影者が裸眼で見た時と同様な色付きのないファインダーとすることができる。
【００１３】
また、撮影光束の一部の光束はハーフミラー１を透過し、サブミラー６によりＡＦ装置７へ導かれ、撮影者が不図示のレリーズボタンを半押しすると、被写体像が合焦となるようにＡＦ装置７により不図示の撮影レンズが駆動され、焦点合わせが行われ、合焦後ファインダー視野内に有しているゲスト・ホスト型液晶３にＡＦ合焦マークが表示される。
さらに、撮影者がレリーズボタンを全押しすると、ハーフミラー１は撮影光路から退避し、サブミラー６も該ハーフミラー１に連動して撮影光路から退避する。そして、この状態で不図示のシャッタ幕が作動制御され、フイルムＦへの露光動作が行われる。
【００１４】
以上のように本実施例によれば、ファインダーを構成している光学部材の一つであるｅ面ミラー４ｂの反射面に、ゲスト・ホスト型液晶３固有の透過率特性を補正し、フラットな特性となるよう反射多層コーティングを施しているため、明るさを下げずにファインダーの色付きを防止することができる。
【００１５】
【発明の効果】
以上説明したように、請求項１に示す本発明は撮影レンズから入射した被写体像をファインダーに導くための反射部材と、被写体像を正立像に形成し接眼レンズに導く正立像形成用光学部材との光路内にスーパーインポーズ表示するための透過型光学部材を有しており、当該透過型光学部材が透過率特性に伴う色特性がファインダーの色を左右するカメラにおいて、ファインダー機構を構成している光学部材の少なくとも一つ以上の光学部材に多層コーティングを施すことによって、該透過型光学部材が有している透過率特性に伴う色特性を補正またはほぼ補正する手段を有していることにより、色付きのない撮影者に違和感を感じさせない高品位なファインダーにすることができる。請求項２に示す本発明は該光学部材が熱可塑性樹脂でモールドで形成された正立像形成部とガラスで形成された最終反射面とで形成された正立像形成用光学部材であり、その最終反射面に該補正手段を有することにより、新たな補正用光学部材の必要がないので、正立像形成用光学部材を軽量化、低コスト化ができる。
【００１６】
請求項３に示す本発明は該補正手段が該正立像形成用光学部材の最終反射面に施した多層コーティングであることにより、反射率の向上が可能となり、部分的な特性変更が可能となる。
請求項４に示す本発明は前記透過型液晶がゲスト・ホスト型液晶であることにより、ファインダー視野内での撮影設定状態のスーパーインポーズ表示が適切に可能となる。
請求項５に示す本発明は前記透過型液晶の透過率特性が可視領域における透過率の波長依存性を有し、前記補正手段により波長毎の透過率の違いを軽減することにより、あらゆる特性への対応が可能となる。
【図面の簡単な説明】
【図１】本発明に係る一実施例のカメラの概略構成図である。
【図２】その透過型液晶であるゲスト・ホスト型液晶の透過率特性図である。
【図３】その正立像形成用光学部材の最終反射面（ｅ面ミラー）の反射率特性図である。
【図４】そのファインダー系総合の光の透過率特性図である。
【符号の説明】
１・・ハーフミラー、２・・スクリーン、３・・ゲスト・ホスト型液晶、４・・正立像形成用光学部材，４ａ・・ルーフミラー、４ｂ・・ｅ面ミラー、５・・接眼レンズ。
【図１】
0003696984.tif 000002
【図２】
0003696984.tif 000003
【図３】
0003696984.tif 000004
【図４】
0003696984.tif 000005